【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  記録材に画像を形成する画像形成部と、
画像データと該画像データに関する設定データを有する画像情報をジョブとして一時的に記憶する第１の記憶手段と、
前記第１の記憶手段に記憶された前記画像情報を記憶する第２の記憶手段と、
前記第２の記憶手段に記憶された複数の画像情報の中から任意の画像情報を選択する選択手段とを備える画像形成装置において、
ユーザ端末とネットワークを介してデータ通信を行う通信手段と、
前記第２の記憶手段は、前記ユーザ端末からネットワークを介して前記通信手段に入力された画像データを有するプリントデータを画像情報として記憶し、
前記選択手段によって、前記プリントデータを含む複数の画像情報が選択された場合、該選択された複数の画像情報に係る画像データを結合し、該結合された画像データを前記画像形成部にて１つのジョブとして画像形成させる制御を行う制御手段とを備えたことを特徴とする画像形成装置。
【請求項２】  原稿の画像を読み取る画像読取り部をさらに有し、
前記第２の記憶手段は、前記画像読取り部が原稿の画像を読み取ることによって得られた画像データを有するスキャンデータを画像情報として記憶し、
前記制御手段は、前記選択手段によって前記プリントデータおよび前記スキャンデータを含む複数の画像情報が選択された場合、該選択された複数の画像情報に係る画像データを結合し、該結合された画像データを前記画像形成部にて１つのジョブとして画像形成させることを特徴とする請求項１に記載の画像形成装置。
【請求項３】  前記プリントデータに係る画像データと、前記スキャンデータに係る画像データとが所定のデータ形式になるように変換する変換手段を備えたことを特徴とする請求項２に記載の画像形成装置。
【請求項４】  前記選択された複数の画像情報に係る画像データが所定のデータ形式になるように変換する変換手段を備えたことを特徴とする請求項１に記載の画像形成装置。
【請求項５】  前記第２の記憶手段は、前記ユーザ端末からネットワークを介して前記通信手段に入力された画像データと該画像データに関する設定データを有するプリントデータを画像情報として記憶し、
前記選択された複数の画像情報に係る画像データを結合して画像形成を行う際に、前記制御手段が、前記選択された複数の画像情報に係る前記設定データが不一致と判断した場合は、警告を発することを特徴とする請求項１に記載の画像形成装置。
【請求項６】  前記第２の記憶手段は、前記画像読取り部が原稿の画像を読み取ることによって得られた画像データと該画像データに関する設定データを有するスキャンデータを画像情報として記憶し、
前記選択された複数の画像情報に係る画像データを結合して画像形成を行う際に、前記制御手段が、前記選択された複数の画像情報に係る前記設定データが不一致と判断した場合は、警告を発することを特徴とする請求項２に記載の画像形成装置。
【請求項７】  原稿の画像を読み取る画像読取り部と、
記録材に画像を形成する画像形成部と、
画像データと該画像データに関する設定データを有する画像情報をジョブとして一時的に記憶する第１の記憶手段と、
前記第１の記憶手段に記憶された前記画像情報を記憶する第２の記憶手段と、
前記第２の記憶手段に記憶された複数の画像情報の中から任意の画像情報を選択する選択手段とを備える画像形成装置において、
ユーザ端末とネットワークを介してデータ通信を行う通信手段と、
前記第２の記憶手段は、前記画像読取り部が原稿の画像を読み取ることによって得られた画像データを有するスキャンデータを画像情報として記憶し、
前記選択手段によって、前記スキャンデータを含む複数の画像情報が選択された場合、該選択された複数の画像情報に係る画像データを結合し、該結合された画像データを前記通信手段によって１つのジョブとして前記ユーザ端末へ送信する制御を行う制御手段と
を備えたことを特徴とする画像形成装置。
【請求項８】  前記選択された複数の画像情報に係る画像データが所定のデータ形式になるように変換する変換手段を備えたことを特徴とする請求項７に記載の画像形成装置。
【請求項９】  前記第２の記憶手段は、ユーザ端末からネットワークを介して前記通信手段に入力された画像データを有するプリントデータを画像情報として記憶し、
前記制御手段は、前記選択手段によって前記プリントデータおよび前記スキャンデータを含む複数の画像情報が選択された場合、該選択された複数の画像情報に係る画像データを結合し、該結合された画像データを前記通信手段によって１つのジョブとして前記ユーザ端末へ送信する制御を行うことを特徴とする請求項７に記載の画像形成装置。
【請求項１０】  前記プリントデータに係る画像データと前記スキャンデータに係る画像データとが所定のデータ形式になるように変換する変換手段を備えたことを特徴とする請求項９に記載の画像形成装置。
【請求項１１】  原稿の画像を読み取る画像読取り部と、
記録材に画像を形成する画像形成部と、
画像データと該画像データに関する設定データを有する画像情報をジョブとして一時的に記憶する第１の記憶手段と、
前記第１の記憶手段に記憶された前記画像情報を記憶する第２の記憶手段と、
前記第２の記憶手段に記憶された複数の画像情報の中から任意の画像情報を選択する選択手段とを備える画像形成装置において、
ユーザ端末とネットワークを介してデータ通信を行う通信手段と、
電子メールの送信アドレスを入力する入力手段と、
前記第２の記憶手段は、前記画像読取り部が原稿の画像を読み取ることによって得られた画像データを有するスキャンデータを画像情報として記憶し、
前記選択手段によって、前記スキャンデータを含む複数の画像情報が選択された場合、該選択された複数の画像情報に係る画像データを結合し、該結合された画像データを前記通信手段によって電子メールに添付して前記送信アドレスに基づくユーザ端末へ送信する制御を行う制御手段とを備えたことを特徴とする画像形成装置。
【請求項１２】  前記第２の記憶手段は、前記ユーザ端末からネットワークを介して前記通信手段に入力された画像データを有するプリントデータを画像情報として記憶し、
前記選択手段によって、前記プリントデータおよび前記スキャンデータを含む複数の画像情報が選択された場合、前記制御手段は、該選択された複数の画像情報に係る画像データを結合し、該結合された画像データを前記通信手段によって１つのジョブとして前記送信アドレスに基づくユーザ端末へ送信する制御を行うことを特徴とする請求項１１に記載の画像形成装置。
【請求項１３】  前記通信手段は、
前記ユーザ端末に送信する電子メールの内容を記憶する通信データ記憶手段と、
前記スキャンデータに係る画像データを電子メールにて取り扱うデータ形式に変換して前記通信データ記憶手段に記憶させ、この記憶させた電子メールの内容を適時にユーザ端末へ送信する制御を行う通信制御手段を備えたことを特徴とする請求項１１もしくは１２に記載の画像形成装置。
【手続補正２】
【補正対象書類名】明細書
【補正対象項目名】０００８
【補正方法】変更
【補正の内容】
【０００８】
【課題を解決するための手段】
請求項１に係る発明は、記録材に画像を形成する画像形成部と、画像データと該画像データに関する設定データを有する画像情報をジョブとして一時的に記憶する第１の記憶手段と、前記第１の記憶手段に記憶された前記画像情報を記憶する第２の記憶手段と、前記第２の記憶手段に記憶された複数の画像情報の中から任意の画像情報を選択する選択手段とを備える画像形成装置において、ユーザ端末とネットワークを介してデータ通信を行う通信手段と、前記第２の記憶手段は、前記ユーザ端末からネットワークを介して前記通信手段に入力された画像データを有するプリントデータを画像情報として記憶し、前記選択手段によって、前記プリントデータを含む複数の画像情報が選択された場合、該選択された複数の画像情報に係る画像データを結合し、該結合された画像データを前記画像形成部にて１つのジョブとして画像形成させる制御を行う制御手段とを備えたことを特徴とする。
【手続補正３】
【補正対象書類名】明細書
【補正対象項目名】０００９
【補正方法】変更
【補正の内容】
【０００９】
請求項２に係る発明は、原稿の画像を読み取る画像読取り部をさらに有し、前記第２の記憶手段は、前記画像読取り部が原稿の画像を読み取ることによって得られた画像データを有するスキャンデータを画像情報として記憶し、前記制御手段は、前記選択手段によって前記プリントデータおよび前記スキャンデータを含む複数の画像情報が選択された場合、該選択された複数の画像情報に係る画像データを結合し、該結合された画像データを前記画像形成部にて１つのジョブとして画像形成させることを特徴とする請求項１の発明に係るものである。
【手続補正４】
【補正対象書類名】明細書
【補正対象項目名】００１０
【補正方法】変更
【補正の内容】
【００１０】
請求項３に係る発明は、前記プリントデータに係る画像データと、前記スキャンデータに係る画像データとが所定のデータ形式になるように変換する変換手段を備えたことを特徴とする請求項２の発明に係るものである。
【手続補正５】
【補正対象書類名】明細書
【補正対象項目名】００１１
【補正方法】変更
【補正の内容】
【００１１】
請求項４に係る発明は、前記選択された複数の画像情報に係る画像データが所定のデータ形式になるように変換する変換手段を備えたことを特徴とする請求項１の発明に係るものである。
【手続補正６】
【補正対象書類名】明細書
【補正対象項目名】００１２
【補正方法】変更
【補正の内容】
【００１２】
請求項５に係る発明は、前記第２の記憶手段は、前記ユーザ端末からネットワークを介して前記通信手段に入力された画像データと該画像データに関する設定データを有するプリントデータを画像情報として記憶し、前記選択された複数の画像情報に係る画像データを結合して画像形成を行う際に、前記制御手段が、前記選択された複数の画像情報に係る前記設定データが不一致と判断した場合は、警告を発することを特徴とする請求項１の発明に係るものである。
【手続補正７】
【補正対象書類名】明細書
【補正対象項目名】００１３
【補正方法】変更
【補正の内容】
【００１３】
請求項６に係る発明は、前記第２の記憶手段は、前記画像読取り部が原稿の画像を読み取ることによって得られた画像データと該画像データに関する設定データを有するスキャンデータを画像情報として記憶し、前記選択された複数の画像情報に係る画像データを結合して画像形成を行う際に、前記制御手段が、前記選択された複数の画像情報に係る前記設定データが不一致と判断した場合は、警告を発することを特徴とする請求項２の発明に係るものである。
【手続補正８】
【補正対象書類名】明細書
【補正対象項目名】００１４
【補正方法】変更
【補正の内容】
【００１４】
請求項７に係る発明は、原稿の画像を読み取る画像読取り部と、記録材に画像を形成する画像形成部と、画像データと該画像データに関する設定データを有する画像情報をジョブとして一時的に記憶する第１の記憶手段と、前記第１の記憶手段に記憶された前記画像情報を記憶する第２の記憶手段と、前記第２の記憶手段に記憶された複数の画像情報の中から任意の画像情報を選択する選択手段とを備える画像形成装置において、ユーザ端末とネットワークを介してデータ通信を行う通信手段と、前記第２の記憶手段は、前記画像読取り部が原稿の画像を読み取ることによって得られた画像データを有するスキャンデータを画像情報として記憶し、前記選択手段によって、前記スキャンデータを含む複数の画像情報が選択された場合、該選択された複数の画像情報に係る画像データを結合し、該結合された画像データを前記通信手段によって１つのジョブとして前記ユーザ端末へ送信する制御を行う制御手段とを備えたことを特徴とする。
請求項８に係る発明は、前記選択された複数の画像情報に係る画像データが所定のデータ形式になるように変換する変換手段を備えたことを特徴とする請求項７の発明に係るものである。
請求項９に係る発明は、前記第２の記憶手段は、ユーザ端末からネットワークを介して前記通信手段に入力された画像データを有するプリントデータを画像情報として記憶し、
前記制御手段は、前記選択手段によって前記プリントデータおよび前記スキャンデータを含む複数の画像情報が選択された場合、該選択された複数の画像情報に係る画像データを結合し、該結合された画像データを前記通信手段によって１つのジョブとして前記ユーザ端末へ送信する制御を行うことを特徴とする請求項７の発明に係るものである。
請求項１０に係る発明は、前記プリントデータに係る画像データと前記スキャンデータに係る画像データとが所定のデータ形式になるように変換する変換手段を備えたことを特徴とする請求項９の発明に係るものである。
請求項１１に係る発明は、原稿の画像を読み取る画像読取り部と、記録材に画像を形成する画像形成部と、画像データと該画像データに関する設定データを有する画像情報をジョブとして一時的に記憶する第１の記憶手段と、前記第１の記憶手段に記憶された前記画像情報を記憶する第２の記憶手段と、前記第２の記憶手段に記憶された複数の画像情報の中から任意の画像情報を選択する選択手段とを備える画像形成装置において、ユーザ端末とネットワークを介してデータ通信を行う通信手段と、電子メールの送信アドレスを入力する入力手段と、前記第２の記憶手段は、前記画像読取り部が原稿の画像を読み取ることによって得られた画像データを有するスキャンデータを画像情報として記憶し、前記選択手段によって、前記スキャンデータを含む複数の画像情報が選択された場合、該選択された複数の画像情報に係る画像データを結合し、該結合された画像データを前記通信手段によって電子メールに添付して前記送信アドレスに基づくユーザ端末へ送信する制御を行う制御手段とを備えたことを特徴とする。
請求項１２に係る発明は、前記第２の記憶手段は、前記ユーザ端末からネットワークを介して前記通信手段に入力された画像データを有するプリントデータを画像情報として記憶し、前記選択手段によって、前記プリントデータおよび前記スキャンデータを含む複数の画像情報が選択された場合、前記制御手段は、該選択された複数の画像情報に係る画像データを結合し、該結合された画像データを前記通信手段によって１つのジョブとして前記送信アドレスに基づくユーザ端末へ送信する制御を行うことを特徴とする請求項１１の発明に係るものである。
請求項１３に係る発明は、前記通信手段は、前記ユーザ端末に送信する電子メールの内容を記憶する通信データ記憶手段と、前記スキャンデータに係る画像データを電子メールにて取り扱うデータ形式に変換して前記通信データ記憶手段に記憶させ、この記憶させた電子メールの内容を適時にユーザ端末へ送信する制御を行う通信制御手段を備えたことを特徴とする請求項１１もしくは１２の発明に係るものである。